(57)【要約】【課題】表示用カバーの外周縁と該表示用カバーを取り付けるフロントパネルの開口を囲む内周面との隙間を均一にする。【解決手段】自動車のインストルメントパネルに取り付けられる車載用ディスプレイユニットであって、前面が意匠面となるフロントパネルと、前記フロントパネルに設けた開口に取り付けられ、前記フロントパネルの後面側に配置される表示器の表示面をフロントパネルの前面側から目視可能とする透過性を有する表示用カバーを備え、前記表示用カバーの外周端面の所要位置に、該表示用カバーの厚さ方向において前面側から間隔をあけた後面側から位置決め用リブを外向きに突設し、これら位置決め用リブの先端を前記フロントパネルの開口を囲む内周面に当接させ、前記フロントパネルの開口の前面側先端の内周縁と前記表示用カバーの前面側先端の外周縁との間に均一な隙間を形成している。【選択図】図５
2008094284.tif 000002
【特許請求の範囲】
【請求項１】
自動車のインストルメントパネルに取り付けられる車載用ディスプレイユニットであって、
前面が意匠面となるフロントパネルと、
前記フロントパネルに設けた開口に取り付けられ、前記フロントパネルの後面側に配置される表示器の表示面をフロントパネルの前面側から目視可能とする透過性を有する表示用カバーを備え、
前記表示用カバーの外周端面の所要位置に、該表示用カバーの厚さ方向において前面側から間隔をあけた後面側から位置決め用リブを外向きに突設し、これら位置決め用リブの先端を前記フロントパネルの開口を囲む内周面に当接させ、前記フロントパネルの開口の前面側先端の内周縁と前記表示用カバーの前面側先端の外周縁との間に均一な隙間を形成していることを特徴とする車載用ディスプレイユニット。
【請求項２】
前記位置決め用リブの先端を前記フロントパネルの開口を囲む内周面に線接触させている請求項１に記載の車載用ディスプレイユニット。
【請求項３】
前記位置決め用リブの先端面を円弧面としている請求項１または請求項２に記載の車載用ディスプレイユニット。
【請求項４】
前記表示用カバーは左右方向に延在する上下辺と、該上下辺と連続し上下方向に延在する左右両側辺の四辺を備え、前記左右両側辺と上辺の三辺に前記位置決め用リブを設けている請求項１乃至請求項３のいずれか１項に記載の車載用ディスプレイユニット。
【請求項５】
前記表示用カバーは射出成形品からなり、該表示用カバーの成形金型の樹脂注入口となるゲート部に対応する部分を先端に備えた突出部を、前記表示用カバーの外周縁から突設し、該突出部を前記フロントパネルの後面側に突出させ、前記ゲート部に対応する部分を該フロントパネルの開口を通して前面側から目視出来ない構成としている請求項１乃至請求項４のいずれか１項に記載の車載用ディスプレイユニット。
【発明の詳細な説明】
【技術分野】
【０００１】
本発明は、車載用ディスプレイユニットに関し、詳しくは、自動車のインストルメントパネルに取り付けられて、オーディオユニットやカーナビゲーションシステム等として用いられるものである。
【背景技術】
【０００２】
従来、特開２００１−１０５９８６号公報（特許文献１）で提供されている自動車のインストルメントパネルに取り付けられる車載用ディスプレイユニット１は、図８に示すように、前面が意匠面となるフロントパネル２に設けた開口２ａに透過性を有する表示用カバー３を取り付けており、該表示用カバー３を通してフロントパネル２の前面側から表示器３の表示面を目視できるようにしている。
【０００３】
しかしながら、前記表示用カバー３のフロントパネル２への取り付けは、図９に示すように、表示用カバー３をフロントパネル２の開口２ａへ押し込んで、表示用カバー３の外周端面３ａから外方に向けて突設した係止突起３ｂを開口２ａを囲む内周面２ｂの係止孔２ｃに挿入係止することにより行っている。よって、表示用カバー３の開口２ａへの押し込みを可能とするために、表示用カバー３の外周端面３ａと開口２ａを囲む内周面２ｂとの間に所要の隙間Ｌを設けておく必要があるが、この隙間Ｌの間隔が上下左右位置で異なると見栄えが悪くなる問題がある。
【０００４】
【特許文献１】特開２００１−１０５９８６号公報
【発明の開示】
【発明が解決しようとする課題】
【０００５】
本発明は前記問題に鑑みてなされたものであり、表示用カバーの外周縁と該表示用カバーを取り付けるフロントパネルの開口を囲む内周面との隙間を均一にすることを課題としている。
【課題を解決するための手段】
【０００６】
前記課題を解決するため、本発明は、自動車のインストルメントパネルに取り付けられる車載用ディスプレイユニットであって、
前面が意匠面となるフロントパネルと、
前記フロントパネルに設けた開口に取り付けられ、前記フロントパネルの後面側に配置される表示器の表示面をフロントパネルの前面側から目視可能とする透過性を有する表示用カバーを備え、
前記表示用カバーの外周端面の所要位置に、該表示用カバーの厚さ方向において前面側から間隔をあけた後面側から位置決め用リブを外向きに突設し、これら位置決め用リブの先端を前記フロントパネルの開口を囲む内周面に当接させ、前記フロントパネルの開口の前面側先端の内周縁と前記表示用カバーの前面側先端の外周縁との間に均一な隙間を形成していることを特徴とする車載用ディスプレイユニットを提供している。
【０００７】
前記構成によれば、表示用カバーをフロントパネルの開口に取り付けた状態で、表示用カバーの外周端面に設けた位置決め用リブがフロントパネルの開口を囲む内周面に当接するため、フロントパネルの開口の内周縁と表示用カバーの外周縁との間に均一な隙間を形成することができ、見栄えを良くして意匠性を向上させることができる。
また、前記位置決め用リブを表示用カバーの厚さ方向において前面側から間隔をあけた後面側に設けているため、該位置決め用リブがほとんど目視できず、意匠性を損なうことがない。
【０００８】
前記位置決め用リブの先端を前記フロントパネルの開口を囲む内周面に線接触させていることが好ましい。
前記構成によれば、位置決め用リブの先端を前記開口内周面に確実に当接させることができる。
【０００９】
前記位置決め用リブの先端を前記フロントパネルの開口を囲む内周面に線接触させるためには、前記位置決め用リブの先端面を円弧面としたり、位置決め用リブの形状を三角形状等としていることが好ましい。ただし、強度の面から、先端面を円弧面とした位置決め用リブが最も好ましい。
【００１０】
前記表示用カバーは左右方向に延在する上下辺と、該上下辺と連続し上下方向に延在する左右両側辺の四辺を備え、前記左右両側辺と上辺の三辺に前記位置決め用リブを設けていることが好ましい。
【００１１】
前記構成によれば、全ての辺に位置決め用リブを設けていないため、位置決め用リブにより表示用カバーをフロントパネルの開口に押し込む際の挿入力が大きくなることがない。
また、表示用カバーの上辺に設けた位置決め用リブが開口内周面に当接したときに、表示用カバーの下辺と開口内周面との間隔が前記位置決め用リブの突出量と同一となるように設定しておけば、下辺に位置決め用リブを設けていなくても、前記隙間を表示用カバーの全周において均一とすることができる。
【００１２】
前記表示用カバーは射出成形品からなり、該表示用カバーの成形金型の樹脂注入口となるゲート部に対応する部分を先端に備えた突出部を、前記表示用カバーの外周縁から突設し、該突出部を前記フロントパネルの後面側に突出させ、前記ゲート部に対応する部分を該フロントパネルの開口を通して前面側から目視出来ない構成としていることが好ましい。
成形金型の樹脂注入口となるゲート部に対応する部分は白くくすんで透過性が低下してしまうが、前記構成によれば、この白くくすんだ部分をフロントパネルの後面側に隠すことができ、表示器の表示面が見やすくなると共に、意匠性を向上させることができる。
【発明の効果】
【００１３】
前述したように、本発明によれば、表示用カバーをフロントパネルの開口に取り付けた状態で、表示用カバーの外周端面に設けた位置決め用リブがフロントパネルの開口を囲む内周面に当接するため、フロントパネルの開口の内周縁と表示用カバーの外周縁との間に均一な隙間を形成することができ、見栄えを良くして意匠性を向上させることができる。
また、前記位置決め用リブを表示用カバーの厚さ方向において前面側から間隔をあけた後面側に設けているため、該位置決め用リブがほとんど見えず、意匠性を損なうことがない。
【発明を実施するための最良の形態】
【００１４】
本発明の実施形態を図面を参照して説明する。
図１乃至図７は、本発明の実施形態を示し、車載用ディスプレイユニット１０は、自動車のインストルメントパネルに取り付けられるものであって、オーディオ機器や空調機器等を操作すると共に、これら機器の操作状態を表示するものである。
【００１５】
車載用ディスプレイユニット１０は、図１に示すように、透過性を有する表示用カバー１６を備えると共に前面が意匠面となるフロントパネル１１と、該フロントパネル１１の後面側に配置される表示器１２と、該表示器１２を前面に保持するホルダー１３と、該ホルダー１３の後方に配置されるプリント基板１４と、該プリント基板１４の後面を覆うリアカバー１５とを備えている。
【００１６】
前記フロントパネル１１の左右方向中央には上下に２つの開口１１ａを設けており、該開口１１ａを囲む内周面１１ｂは、左右方向に延在する上下辺１１ａ−１、１１ａ−２と該上下辺１１ａ−１、１１ａ−２と連続し上下方向に延在する左右両側辺１１ａ−３、１１ａ−４の四辺からなる略矩形状としている。
【００１７】
前記フロントパネル１１の開口１１ａに取り付ける表示用カバー１６は、透明樹脂材料に黒色の添加物を混合してブラックフェース化した射出成形品からなり、該表示用カバー１６を通してフロントパネル１１の前面側から表示器１２の前面側の表示面を目視可能としている。該表示用カバー１６は、図２及び図３に示すように、フロントパネル１１の開口１１ａと略同形状としており、左右方向に延在する上下辺１６ａ、１６ｂと、該上下辺１６ａ、１６ｂと連続し上下方向に延在する左右両側辺１６ｃ、１６ｄの四辺からなる略矩形状としており、本実施形態では下辺１６ｂを緩やかな円弧状としている。
【００１８】
前記表示用カバー１６の上辺１６ａ及び左右両側辺１６ｃ、１６ｄの外周端面１６ｅには、位置決め用リブ１６ｆを外向きに突設している。前記上辺１６ａには左右方向の中央に対して対称位置にそれぞれ位置決め用リブ１６ｆを突設する一方、左右両側辺１６ｃ、１６ｄには上下同一高さ位置にそれぞれ位置決め用リブ１６ｆを突設している。これら位置決め用リブ１６ｆの突設位置は、図４（Ｂ）に示すように、表示用カバー１６の厚さ方向において前面側から間隔Ｌ１をあけた位置としている。
【００１９】
前記表示用カバー１６の下辺１６ｂ及び左右両側辺１６ｃ、１６ｄの外周端面１６ｅには、係止突起１６ｇを外向きに突設している。これら係止突起１６ｇの突設位置は、図３（Ｃ）に示すように、表示用カバー１６の厚さ方向において前面側から間隔をあけた後面側としている。また、表示用カバー１６の上辺の外周端面１６ｅには、左右方向の中央で前面側から間隔をあけた後面側に突出部１６ｈを外向きに突設しており、該突出部１６ｈの先端に該表示用カバー１６の成形金型の樹脂注入口となるゲート部に対応するゲート対応部１６ｉを設けている。
【００２０】
前記表示用カバー１６をフロントパネル１１の開口１１ａに前面側から挿入して嵌合しており、図７に示すように、表示用カバー１６の突出部１６ｈを開口１１ａを囲む内周面１１ｂの後端側に設けた切欠部１１ｃに挿入した状態で、図６に示すように、係止突起１６ｇを開口１１ａを囲む内周面１１ｂに設けた係止孔１１ｄに挿入係止している。このとき、表示用カバー１６の位置決め用リブ１６ｆの先端が開口１１ａを囲む内周面１１ｂに当接し、図５に示すように、フロントパネル１１の開口１１ａの前面側先端の内周縁と表示用カバーの前面側先端の外周縁との間に間隔が均一な隙間Ｓが形成されている。
なお、表示用カバー１６の下辺１６ｂの外周端面１６ｅには位置決め用リブ１６ｆを設けていないが、上辺１６ａ側の位置決め用リブ１６ｆが開口１１ａの内周面１１ｂに当接したときに、下辺１６ｂ側の隙間Ｓの幅と上辺１６ａ側の隙間Ｓの幅が均一となる位置で、係止突起１６ｇのテーパ面１６ｇ−１が係止孔１１ｄの周縁に当接するように設定している。
【００２１】
前記フロントパネル１１の左右方向両側にも開口１１ｅを設けており、該開口１１ｅにスイッチ装置１７を取り付けて、フロントパネル１１の前面側からスイッチ装置１７を操作できるようにしている。該スイッチ装置１７に接続した電線１８端末のコネクタ１９はプリント基板１４のコネクタ１４ａと接続している。
【００２２】
前記ホルダー１３で保持される表示器１２は、矩形状の蛍光表示管（ＶＦＤ）からなり、外周の一側から後面側へ突出させた端子１２ａを後方に配置されたホルダー１３とプリント基板１４に貫通させて、該端子１２ａの先端側をプリント基板１４の導体に半田付けして接続している。
【００２３】
これら組み付けた表示器１２、ホルダー１３及びプリント基板１４の前面側にフロントパネル１１を被せると共に、後面側にリアカバー１５を被せ、フロントパネル１１、ホルダー１３、プリント基板１４およびリアカバー１５に設けた締結部を一括でボルト締め固定している。
【００２４】
前記構成によれば、表示用カバー１６をフロントパネル１１の開口１１ａに取り付けた状態で、表示用カバー１６の外周端面１６ｅに設けた位置決め用リブ１６ｆが開口１１ａを囲む内周面１１ｂに当接するため、フロントパネル１１の開口１１ａの内周縁と表示用カバー１６の外周縁との間に均一な隙間Ｓを形成することができ、見栄えを良くして意匠性を向上させることができる。
また、位置決め用リブ１６ｆを表示用カバー１６の厚さ方向において前面側から間隔をあけた後面側に設けているため、該位置決め用リブ１６ｆがほとんど見えず、意匠性を損なうことがない。
さらに、白くくすむゲート対応部１６ｉを表示用カバー１６の外周端面１６ｅから突出させて設けた突出部１６ｈの先端に設け、該突出部１６ｈをフロントパネル１１の後面側に突出させることにより、ゲート対応部１６ｉをフロントパネル１１の後面側に隠すことができ、表示器１２の表示面が見やすくなると共に、意匠性を向上させることができる。
【図面の簡単な説明】
【００２５】
【図１】本発明の実施形態の車載用ディスプレイユニットの分解斜視図である。
【図２】表示用カバーの斜視図である。
【図３】表示用カバーを示し、（Ａ）は平面図、（Ｂ）は正面図、（Ｃ）は底面図である。
【図４】（Ａ）は位置決め用リブの要部拡大図、（Ｂ）はＡ−Ａ線断面図である。
【図５】表示用カバーをフロントパネルの開口に取り付けた状態を示す図面である。
【図６】Ｂ−Ｂ線断面図である。
【図７】Ｃ−Ｃ線断面図である。
【図８】従来例を示す図面である。
【図９】従来例の問題点を示す図面である。
【符号の説明】
【００２６】
１０  車載用ディスプレイユニット
１１  フロントパネル
１１ａ  開口
１１ｂ  開口を囲む内周面
１６  表示用カバー
１６ｆ  位置決め用リブ
１６ｈ  突出部
１６ｉ  ゲート対応部
【図１】
2008094284.tif 000003
【図２】
2008094284.tif 000004
【図３】
2008094284.tif 000005
【図４】
2008094284.tif 000006
【図５】
2008094284.tif 000007
【図６】
2008094284.tif 000008
【図７】
2008094284.tif 000009
【図８】
2008094284.tif 000010
【図９】
2008094284.tif 000011